(57)【要約】【課題】  レーザ光の高い利用効率を有し、小型化を行なうことができる光集積ユニットおよび光ピックアップ装置を提供する。【解決手段】  光集積ユニット４０は、波長の異なる複数のレーザ光を発振するための発光部１と、波長板５と、光源１ａから発振された第１のレーザ光を回折させるための偏光ホログラム素子２と、光源１ｂから発振された第２のレーザ光を回折させるための無偏光性ホログラム素子３とを備える。波長板５は、第１のレーザ光に対してλ／４板として作用して、第２のレーザ光に対してλ板またはλ／２板として作用するように形成されている。【選択図】        図１
2005203041.tif 000002
【特許請求の範囲】
【請求項１】
波長の異なる複数のレーザ光を発振するための発光部と、
位相差板と、
前記複数のレーザ光のうち第１のレーザ光を回折させるための第１のホログラム素子と、
前記複数のレーザ光のうち第２のレーザ光を回折させるための第２のホログラム素子と
を備え、
前記位相差板は、前記第１のレーザ光に対してλ／４板として作用して、前記第２のレーザ光に対してλ板またはλ／２板として作用するように形成された、光集積ユニット。
【請求項２】
前記発光部は、前記第２のレーザ光の波長より前記第１のレーザ光の波長が長くなるように形成され、
前記第１のホログラム素子は、偏光特性を有し、
前記第２のホログラム素子は、偏光状態に依存しないように形成された、請求項１に記載の光集積ユニット。
【請求項３】
前記発光部は、前記第２のレーザ光の波長より前記第１のレーザ光の波長が長くなるように形成され、
前記第１のホログラム素子は、偏光特性を有し、
前記第２のホログラム素子は、前記第１のレーザ光を回折せずに前記第２のレーザ光を回折するように形成された、請求項１に記載の光集積ユニット。
【請求項４】
前記発光部からの発振光を、少なくとも３つに分割するための発振光分割手段を備える、請求項１に記載の光集積ユニット。
【請求項５】
前記発振光分割手段は、前記第１のレーザ光を分割するための第１の発振光回折格子と、
前記第２のレーザ光を分割するための第２の発振光回折格子と
を含む、請求項４に記載の光集積ユニット。
【請求項６】
前記発振光分割手段は、前記第１のレーザ光および前記第２のレーザ光を分割するように形成された回折格子を含む、請求項４に記載の光集積ユニット。
【請求項７】
前記複数のレーザ光を受光するための一の受光部を備え、
前記第１のレーザ光および前記第２のレーザ光を、前記一の受光部で受光するように形成された、請求項１に記載の光集積ユニット。
【請求項８】
前記複数のレーザ光を受光するための受光部を備え、
前記発光部、前記受光部、前記第１のホログラム素子および前記第２のホログラム素子が一体化されている、請求項１に記載の光集積ユニット。
【請求項９】
前記複数のレーザ光を受光するための受光部を備え、
前記発光部、前記受光部、前記第１のホログラム素子、前記第２のホログラム素子、および前記位相差板が一体化されている、請求項１に記載の光集積ユニット。
【請求項１０】
前記複数のレーザ光を受光するための受光部を備え、
前記発光部、前記受光部、前記第１のホログラム素子、前記第２のホログラム素子、および前記発振光分割手段が一体化されている、請求項４に記載の光集積ユニット。
【請求項１１】
前記複数のレーザ光を受光するための受光部を備え、
前記発光部、前記受光部、前記第１のホログラム素子、前記第２のホログラム素子、前記位相差板、および前記発振光分割手段が一体化されている、請求項４に記載の光集積ユニット。
【請求項１２】
前記発光部は、他の部分から分離可能なように一体的に形成されている、請求項１に記載の光集積ユニット。
【請求項１３】
請求項１に記載の光集積ユニットと
発振されるレーザ光を光ディスクの情報面で集光させるための対物レンズと、
を備える、光ピックアップ装置。
【請求項１４】
前記発光部からの発振光を、少なくとも３つに分割するための発振光分割手段と、
前記複数のレーザ光を受光するための受光部と
を備え、
前記発光部は、前記第２のレーザ光の波長より前記第１のレーザ光の波長が長くなるように形成され、
前記第１のホログラム素子は、偏光特性を有し、
前記第２のホログラム素子は、偏光状態に依存しないように形成され、
前記発光部、前記受光部、前記第１のホログラム素子、前記第２のホログラム素子、前記位相差板および前記発振光分割手段が一体化されている、請求項１３に記載の光ピックアップ装置。
【発明の詳細な説明】
【技術分野】
【０００１】
本発明は、光ディスクなどの情報記録媒体に光学的に情報を記録または再生する光集積ユニットおよび光ピックアップ装置に関する。
【背景技術】
【０００２】
情報記録媒体としての光ディスクに対して光学的に情報を記録または再生する光集積ユニットの中には、２種類の光ディスクに対応する光集積ユニットがある。たとえば、ＤＶＤ（Digital Versatile Disc）系の光ディスクに対して記録または再生するために波長が６５５ｎｍのレーザ光を発振する光源と、ＣＤ（Compact Disk）系の光ディスクに対して記録または再生するために波長が７８５ｎｍのレーザ光を発振する光源とを有する光集積ユニットがある。
【０００３】
光集積ユニットには、これらの２種類の光源が、それぞれ離れた位置に配置され、２つのレーザ光を合成分離するための光学素子を用いることで、２つのレーザ光に対応した光集積ユニットが用いられている（たとえば、特開２０００−７６６８９号公報参照）。
【０００４】
特開２０００−７６６８９号公報には、波長の異なる複数の半導体レーザを互いに近接するように配置した光ピックアップ装置、および、複数の半導体レーザを１つのパッケージの内部に配置した光ピックアップ装置が開示されている。図１１に、２つの半導体レーザが近接するように配置された光ピックアップ装置の断面図を示す。レーザパッケージ１１５の内部に半導体レーザ１０１，１０２および受光素子１１４が配置されている。半導体レーザ１０１，１０２から発振されたレーザ光は、３ビーム用回折格子１０３、第２のホログラム素子１１１、第１のホログラム素子１１２、コリメータレンズ１１３および対物レンズ１０６を通ってディスク１０７に照射される。
【０００５】
ディスク１０７からの反射光は、対物レンズ１０６、コリメータレンズ１１３を通って、第１のホログラム素子１１２に入射する。第１のホログラム素子１１２は、透明基板１１７の上面に形成され、ホログラムの溝の深さを調整することにより、波長が６５０ｎｍ帯のレーザ光は回折するが、波長が７８０ｎｍ帯のレーザ光は回折しないように形成されている。波長が６５０ｎｍ帯のレーザ光は、第１のホログラム素子１１２で回折される。
【０００６】
第１のホログラム素子１１２を通ったレーザ光は、第２のホログラム素子１１１に入射する。第２のホログラム素子１１１は、透明基板１１６の上面に形成され、波長が７８０ｎｍ帯のレーザ光は回折するが、波長が６５０ｎｍ帯のレーザ光は回折しないように形成されている。波長が７８０ｎｍ帯のレーザ光は、第２のホログラム素子１１１で回折される。
【０００７】
第１のホログラム素子１１２で回折された６５０ｎｍの波長を有するレーザ光および第２のホログラム素子１１１で回折された７８０ｎｍの波長を有するレーザ光は、受光素子１１４に入射する。
【０００８】
図１１に示す装置においては、第１のホログラム素子１１２と第２のホログラム素子１１１とを、発振される同一の光軸上に配置して、さらに、２つのホログラム素子での回折光を１つの受光素子１１４で受光することによって、光ピックアップ装置の小型集積化が行なわれている。
【０００９】
図１２に、別の光ピックアップ装置として、特開２００３−１０９２４３号公報に開示された光ピックアップ装置の断面図を示す。半導体レーザチップ１２１，１２３から発振されたレーザ光は、第１ホログラム１２４、第２ホログラム１２５、波長板１３０、コリメータレンズ１２６および対物レンズ１２７を通って、光記録媒体１２８に入射する。
【００１０】
光記録媒体１２８からの反射光は、対物レンズ１２７、コリメータレンズ１２６および波長板１３０を通って、第２ホログラム１２５に入射する。波長板１３０は、波長が６６０ｎｍのレーザ光に付与する位相差が１０９°、波長が７８０ｎｍのレーザ光に付与する位相差が７１°になるように形成されている。
【００１１】
第２ホログラム１２５は、回折効率が入射光の偏光方向に関わらずほぼ一定の無偏光性ホログラムである。第２ホログラム１２５は、波長が６６０ｎｍのレーザ光は回折しないが、波長が７８０ｎｍのレーザ光は回折する波長選択性を有する。従って、７８０ｎｍの波長を有するレーザ光は、第２ホログラム１２５で回折される。第２ホログラム１２５を通ったレーザ光は、第１ホログラム１２４に入射する。第１ホログラム１２４は、波長が６６０ｎｍのレーザ光を回折させるための偏光ホログラムである。６６０ｎｍの波長を有するレーザ光は、第１ホログラム１２４で回折される。
【００１２】
第１ホログラム１２４で回折された６６０ｎｍの波長を有するレーザ光および第２ホログラム１２５で回折された７８０ｎｍの波長を有するレーザ光は、受光素子１２９に導かれて検出される。
【００１３】
波長板１３０には、２つのレーザ光に対して、９０°にある程度近い位相差を与える波長板が用いられている。与えられる位相差が９０°から離れた分については、検出される信号の低下として許容されている。２つのレーザ光に対して、それぞれ９０°の位相差を付与する波長板を形成することも技術的に可能である。しかし、このような特性の波長板はコスト的に必ずしも有利でないため、与える位相差については９０°からずれた角度になるように形成されている。波長板を通ることによって、位相差が９０°からずれた光記録媒体１２８からの戻り光は、２つのレーザ光ともに楕円偏光である。
【特許文献１】特開２０００−７６６８９号公報
【特許文献２】特開２００３−１０９２４３号公報
【発明の開示】
【発明が解決しようとする課題】
【００１４】
２つの光源が離れて配置された光ピックアップ装置においては、２つのレーザ光を合成分離するための光学素子が必要であるため、部品点数が多くなってしまうという問題がある。また、離れて配置された２つの光源に対応して、光学系の調整が必要になるため、調整箇所が多くなるという問題があった。たとえば、一方の光源を配置したのちに光学系の位置調整を行なって、さらに、他方の光源の位置調整を行なわなくてはならないという問題があった。また、離れて配置された２つの光源から発振された２つのレーザ光を合成分離するための多くの光学素子が必要であるため、光ピックアップ装置が大型化してしまうという問題があった。
【００１５】
図１１に示す光ピックアップ装置においては、ホログラムの溝の深さを調整した波長選択性を有するホログラム素子が同一の光軸上に配置されている。波長が６５０ｎｍのレーザ光を回折するための第１のホログラム素子１１２と、波長が７８０ｎｍのレーザ光を回折するための第２のホログラム素子１１１とが用いられている。
【００１６】
しかし、これらのホログラム素子においては、レーザ光が入射する方向に関係なく、それぞれのレーザ光が回折されてしまう。すなわち、ディスク１０７からの反射光に加えて、半導体レーザ１０１，１０２からディスク１０７に向かう発振光についても、それぞれのレーザ光が回折されてしまう。
【００１７】
このため、半導体レーザ１０１，１０２から発振され、ディスク１０７に向かう２つのレーザ光は、第２のホログラム素子１１１または第１のホログラム素子１１２で一度回折され、それぞれのホログラム素子での透過光（０次回折光）がディスク１０７に入射する。ディスク１０７で反射したレーザ光は、再び第１のホログラム素子１１２または第２のホログラム素子１１１に入射して回折され、＋１次回折光または−１次回折光が受光素子１１４で受光される。このように、２つのレーザ光は、ともに往路と復路とで１回ずつ回折されるため、いずれのレーザ光に対しても、往路においては対物レンズからの出射効率が悪く、さらに、復路においては受光素子での受光効率も悪くなるという問題があった。
【００１８】
特に、波長が６５０ｎｍのレーザ光は、ＣＤより記録密度が高いＤＶＤの再生や記録に用いられるため、受光効率を上げて再生信号のＳ／Ｎ比を高くする必要がある。しかし、図１１に示す光ピックアップ装置においては、光ディスクに情報を記録する場合に光量の不足を招いて、高速再生や高速記録の妨げになるという問題があった。
【００１９】
図１２に示す光ピックアップ装置においては、第１ホログラム１２４を偏光ホログラムとしている。この装置においては、第２ホログラム１２５の回折光は、第１ホログラム１２４で回折されないような偏光方向であることが好ましい。しかし、光記録媒体１２８からの反射光が２方向の直線偏光からなる円偏光や楕円偏光の場合には、第２ホログラム１２５の回折光の一部が第１ホログラム１２４で再び回折してしまう。すなわち、光利用効率が低下する。
【００２０】
したがって、上記のように、２つのいずれのレーザ光に対しても９０°にある程度近い位相差を与える波長板を用いた場合には、第２ホログラム１２５での回折光が第１ホログラム１２４を通る際に、第１ホログラム１２４で回折され、受光素子１２９に到達する光量は大幅に低下するものと予想される。
【００２１】
また、第２ホログラム１２５で回折されたレーザ光の一部が、第１ホログラム１２４のうちホログラムが形成されていない領域を通るように形成されている場合には、第１ホログラム１２４のホログラムが形成されている領域を通ったレーザ光は、その一部が回折されて光量が低下する一方で、ホログラムが形成されていない領域を通ったレーザ光は、光量が低下しない。このため、光記録媒体１２８からの反射光の断面における強度分布に偏りが生じる。光ピックアップ装置においては、光記録媒体からの反射光の強度分布を用いて、トラックエラー信号やフォーカスエラー信号などを得るため、光記録媒体からの反射光の強度分布に偏りが生じていると、これらの信号を正しく得ることができないという問題がある。
【００２２】
また、第２ホログラム１２５の回折光の全てが、第１ホログラム１２４のホログラムが形成されていない領域を通るように形成されている場合には、上記の第２ホログラム１２５の回折光の光量の低下は生じない。この効果を得るため、第２ホログラム１２５を半導体レーザチップ１２１，１２３から遠ざけて、第１ホログラム１２４と第２ホログラム１２５との距離を大きくする構成が多く用いられる。しかし、このような場合には、レーザ光の光軸方向における光集積ユニットの大きさが大きくなって、光ピックアップ装置の小型化が困難になるという問題があった。
【００２３】
本発明の目的は、上記の問題点を解決するためになされたものであり、レーザ光の高い利用効率を有し、小型化を行なうことができる光集積ユニットおよび光ピックアップ装置を提供することを目的とする。
【課題を解決するための手段】
【００２４】
上記目的を達成するため、本発明に基づく光集積ユニットは、波長の異なる複数のレーザ光を発振するための発光部と、位相差板と、上記複数のレーザ光のうち第１のレーザ光を回折させるための第１のホログラム素子と、上記複数のレーザ光のうち第２のレーザ光を回折させるための第２のホログラム素子とを備える。上記位相差板は、上記第１のレーザ光に対してλ／４板として作用して、上記第２のレーザ光に対してλ板またはλ／２板として作用するように形成されている。この構成を採用することにより、上記第１のホログラム素子および上記第２のホログラム素子について、適切なホログラム素子を選定した場合、いずれか一方のホログラム素子の回折光が、他方のホログラム素子を通るように形成されていても、上記他方のホログラム素子で上記回折光が回折されることを防止できる。この結果、レーザ光の利用効率が高くなるとともに、小型化を行なうことができる光集積ユニットを提供することができる。
【００２５】
上記発明において好ましくは、上記発光部は、上記第２のレーザ光の波長より上記第１のレーザ光の波長が長くなるように形成され、上記第１のホログラム素子は、偏光特性を有し、上記第２のホログラム素子は、偏光状態に依存しないように形成されている。この構成を採用することにより、上記第１のホログラム素子と上記第２のホログラム素子とを容易に形成することができる。
【００２６】
上記発明において好ましくは、上記発光部は、上記第２のレーザ光の波長より上記第１のレーザ光の波長が長くなるように形成され、上記第１のホログラム素子は、偏光特性を有し、上記第２のホログラム素子は、上記第１のレーザ光を回折せずに上記第２のレーザ光を回折するように形成されている。この構成を採用することにより、上記第１のホログラム素子と上記第２のホログラム素子とを容易に形成することができる。
【００２７】
上記発明において好ましくは、上記発光部からの発振光を、少なくとも３つに分割するための発振光分割手段を備える。この構成を採用することにより、３ビームを用いたトラッキング方式に本発明を適用することができる。
【００２８】
上記発明において好ましくは、上記発振光分割手段は、上記第１のレーザ光を分割するための第１の発振光回折格子と、上記第２のレーザ光を分割するための第２の発振光回折格子とを含む。この構成を採用することにより、それぞれのレーザ光に対応した分割を行なうことができる。
【００２９】
上記発明において好ましくは、上記発振光分割手段は、上記第１のレーザ光および上記第２のレーザ光を分割するように形成された回折格子を含む。この構成を採用することにより、上記発振光分割手段の構成を容易にすることができる。
【００３０】
上記発明において好ましくは、上記複数のレーザ光を受光するための一の受光部を備え、上記第１のレーザ光および上記第２のレーザ光を、上記一の受光部で受光するように形成されている。この構成を採用することにより、上記受光部を小型化することができ、この結果、上記光集積ユニットを小型化することができる。
【００３１】
上記発明において好ましくは、上記複数のレーザ光を受光するための受光部を備え、上記発光部、上記受光部、上記第１のホログラム素子および上記第２のホログラム素子が一体化されている。この構成を採用することにより、光集積ユニットの製造時において、上記第１ホログラム素子および上記第２ホログラム素子などの位置調整を行なうことができ、光ピックアップ装置に上記光集積ユニットを搭載する際の上記の部品の位置調整が不要になる。
【００３２】
上記発明において好ましくは、上記複数のレーザ光を受光するための受光部を備え、上記発光部、上記受光部、上記第１のホログラム素子、上記第２のホログラム素子、および上記位相差板が一体化されている。この構成を採用することにより、上記位相差板を上記発光部に近い位置に配置することができ、良質なレーザ光を光ディスクに向けて照射することができる。また、光ピックアップ装置に光集積ユニットを搭載する際の、上記光集積ユニットにおける上記発光部、上記第１のホログラム素子などの位置調整が不要になる。
【００３３】
上記発明において好ましくは、上記複数のレーザ光を受光するための受光部を備え、上記発光部、上記受光部、上記第１のホログラム素子、上記第２のホログラム素子、および上記発振光分割手段が一体化されている。この構成を採用することにより、光集積ユニットを光ピックアップ装置に搭載する際に、上記光集積ユニットにおける上記発光部、上記第１のホログラム素子および上記発振光分割手段などの位置調整が不要になる。
【００３４】
上記発明において好ましくは、上記複数のレーザ光を受光するための受光部を備え、上記発光部、上記受光部、上記第１のホログラム素子、上記第２のホログラム素子、上記位相差板、および上記発振光分割手段が一体化されている。この構成を採用することにより、光集積ユニットの製造時において、上記発光部と上記第１のホログラム素子などの位置調整を行なうことができ、上記光集積ユニットを光ピックアップ装置に搭載する際の上記の部品の位置調整が不要になる。
【００３５】
上記発明において好ましくは、上記発光部は、他の部分から分離可能なように一体的に形成されている。この構成を採用することにより、上記発光部を容易に変更することができる。
【００３６】
上記目的を達成するため、本発明に基づく光ピックアップ装置は、上述の光集積ユニットと、発振されるレーザ光を光ディスクの情報面で集光させるための対物レンズとを備える。この構成を採用することにより、レーザ光の高い利用効率を有し、小型化を行なうことができる光ピックアップ装置を提供することができる。
【００３７】
上記発明において好ましくは、上記発光部からの発振光を、少なくとも３つに分割するための発振光分割手段と、上記複数のレーザ光を受光するための受光部とを備える。上記発光部は、上記第２のレーザ光の波長より上記第１のレーザ光の波長が長くなるように形成され、上記第１のホログラム素子は、偏光特性を有し、上記第２のホログラム素子は、偏光状態に依存しないように形成され、上記発光部、上記受光部、上記第１のホログラム素子、上記第２のホログラム素子、上記位相差板および上記発振光分割手段が一体化されている。この構成を採用することにより、上記発光部と上記第１のホログラム素子との位置調整など上記光集積ユニットを上記光ピックアップ装置に搭載する際の上記の部品の位置調整が不要になる。
【発明の効果】
【００３８】
本発明によれば、レーザ光の高い利用効率を有し、小型化を行なうことができる光集積ユニットおよび光ピックアップ装置を提供することができる。
【発明を実施するための最良の形態】
【００３９】
（実施の形態１）
（構成）
図１から図３を参照して、本発明に基づく実施の形態１における光集積ユニットおよび光ピックアップ装置について説明する。なお、本発明の説明に用いる上面、上方などの向きを示す用語は、絶対的な向きを示すものではなく、各部位の相対的な位置関係を示すものである。
【００４０】
図１は、本実施の形態における第１の光集積ユニットおよび第１の光ピックアップ装置の概略断面図である。光集積ユニット４０は、２つのレーザ光を発振するための発光部１を備える。発光部１は、光源１ａおよび光源１ｂを含む。光源１ａ，１ｂは、図１における上向きにレーザ光を発振できるように形成されている。光源１ａおよび光源１ｂは、発振されるレーザ光の光軸が互いにほぼ同じ方向になるように形成されている。発光部１は、光源１ｂから発振される第２のレーザ光の波長より、光源１ａから発振される第１のレーザ光の波長の方が短くなるように形成されている。たとえば、光源１ａからは、ＤＶＤ系の光ディスクを記録および再生するために波長６５５ｎｍのレーザ光が発振され、光源１ｂからは、ＣＤ系の光ディスクを記録および再生するために７８５ｎｍの波長を有するレーザ光が発振される。
【００４１】
光源１ａから発振される第１のレーザ光の光軸Ｊ上には、基板２２、基板２３および位相差板としての波長板５が配置されている。基板２２の上面には、光源１ａから発振される第１のレーザ光を回折させるための第１のホログラム素子として、偏光ホログラム素子２が形成されている。基板２３の上面には、光源１ｂから発振される第２のレーザ光を回折させるための第２のホログラム素子として、無偏光性ホログラム素子３が形成されている。無偏光性ホログラム素子３は、偏光特性を有さず、レーザ光の回折が偏光状態に依存しないように形成されている。
【００４２】
偏光ホログラム素子２は、光源１aから発振されるレーザ光の偏光状態に対して、９０°回転した直線偏光状態のレーザ光を回折するように形成されている。偏光ホログラム素子２は、光源１ａから発振される第１のレーザ光の光軸Ｊが偏光ホログラム素子２のほぼ中央部を通るように配置されている。無偏光性ホログラム素子３は、光源１ｂから発振される第２のレーザ光の光軸が、無偏光性ホログラム素子３のほぼ中央部を通るように配置されている。また、偏光ホログラム素子２および無偏光性ホログラム素子３は、発振された２つのレーザ光が、光ディスク７で反射して戻る際の復路の途中に形成されている。
【００４３】
無偏光性ホログラム素子３は、第１のレーザ光を回折せずに、第２のレーザ光を回折するように形成されている。すなわち、無偏光性ホログラム素子３は、波長選択性を有するように形成されている。また、本実施の形態における無偏光性ホログラム素子３は、回折光のうち０次回折光の回折効率が約８０％、±１次回折光の回折効率がそれぞれ８％ずつになるように形成されている。
【００４４】
波長板５は、第１のレーザ光に対してλ／４板として作用して、第２のレーザ光に対してλ板またはλ／２板として作用するように形成されている。発光部１の側方には、偏光ホログラム素子２の回折光を受光するための受光部４ａが形成されている。また、発光部１の側方のうち、受光部４ａが配置されている側の反対側には、無偏光性ホログラム素子３の回折光を受光するための受光部４ｂが配置されている。本実施の形態においては、偏光ホログラム素子および無偏光性ホログラム素子の回折光のうち、一次回折光が用いられている。
【００４５】
光集積ユニット４０は、発光部１、受光部４ａ，４ｂ、基板２２，２３および波長板５を備え、光ピックアップ装置４１は、光集積ユニット４０に加えて、波長板５の上方の光軸Ｊ上に、発振されるレーザ光を光ディスク７で集光させるための対物レンズ６を備える。
【００４６】
図２に、本実施の形態における第２の光集積ユニットおよび第２の光ピックアップ装置の概略断面図を示す。光集積ユニットが、発光部１、基板２２，２３および波長板５を備えることは、本実施の形態における第１の光集積ユニットおよび第１の光ピックアップ装置と同様である。
【００４７】
第２の光集積ユニットおよび第２の光ピックアップ装置においては、受光部の位置が異なる。受光部４ａおよび受光部４ｂは、発光部１の側方のうち互いに同じ側に配置されている。受光部４ａおよび受光部４ｂは、それぞれの主表面がほぼ同一平面状になるように配置されている。光ピックアップ装置は、偏光ホログラム素子２の回折光が受光部４ｂで受光され、無偏光性ホログラム素子３の回折光が受光部４ａで受光されるように形成されている。その他の構成については、本実施の形態における第１の光集積ユニットおよび第１の光ピックアップ装置と同様である。
【００４８】
図３に、本実施の形態における第３の光集積ユニットおよび第３の光ピックアップ装置の概略断面図を示す。発光部１および波長板５を備え、基板２４の上面に偏光ホログラム素子１２が形成され、基板２５の上面に無偏光性ホログラム素子１３が形成されていることは、本実施の形態における第１の光集積ユニットおよび第１の光ピックアップ装置と同様である。
【００４９】
第３の光集積ユニットおよび第３の光ピックアップ装置においては、発光部から発振された２つのレーザ光を１つの受光部で受光するように形成されている。基板２４の上面に形成された偏光ホログラム素子１２および基板２５の上面に形成された無偏光性ホログラム素子１３は、偏光ホログラム素子１２の回折光３５ａと無偏光性ホログラム素子１３の回折光３５ｂとが、発光部１の側方のうちほぼ同じ位置に到達するように形成されている。回折光３５ａおよび回折光３５ｂは、１つの受光部４ｃで受光されている。このように、第３の光集積ユニットおよび第３の光ピックアップ装置においては、１つの受光部４ｃで、両方のレーザ光を受光できるように形成されている。
【００５０】
その他の構成については、本実施の形態における第１の光集積ユニットおよび第１の光ピックアップ装置と同様である。
【００５１】
（作用・効果）
本実施の形態においては、発光部１のうち光源１ａからは波長の短いレーザ光が発振され、光源１ｂからは波長の長いレーザ光が発振される。光源１ａから発振された第１のレーザ光は、基板２３に形成された無偏光性ホログラム素子３および基板２２に形成された偏光ホログラム素子２を通って、対物レンズ６で集光され、光ディスク７に入射する。
【００５２】
光ディスク７で反射したレーザ光は、再び対物レンズ６および波長板５を通って、基板２２に形成された偏光ホログラム素子２で回折される。偏光ホログラム素子２の回折光３５ａは、基板２３の上面に形成された無偏光性ホログラム素子３が形成されている領域を通って、受光部４ａに到達する。受光部４ａでは、回折光３５ａを受光して、光信号が検出される。
【００５３】
波長板５は、光源１ａから発振される第１のレーザ光に対して、λ／４板として作用するように形成されている。光源１ａから発振された第１のレーザ光は、波長板５を通ることによって円偏光状態となり、光ディスク７に入射する。光ディスク７からの反射光は、再び波長板５を通ることによって、光源１ａから発振されたレーザ光の偏光方向に対して９０°回転した直線偏光状態となり、偏光ホログラム素子２に入射する。
【００５４】
偏光ホログラム素子２は、この９０°回転した直線偏光状態の反射光を回折するように形成されている。このため、光源１ａから発振された第１のレーザ光の反射光は、偏光ホログラム素子２で回折され、受光部４ａに導かれる。
【００５５】
光源１ｂから発振された第２のレーザ光は、無偏光性ホログラム素子３、偏光ホログラム素子２および波長板５を通って対物レンズ６で集光され、光ディスク７に入射する。光ディスク７からの反射光は、対物レンズ６、波長板５および偏光ホログラム素子２を通って、無偏光性ホログラム素子３で回折される。
【００５６】
波長板５は、第２のレーザ光に対して、λ／２板またはλ板として作用するように形成されている。波長板５が、第２のレーザ光に対してλ／２板として作用する場合には、発振された第２のレーザ光が波長板５を通ることによって、光源１ｂから発振されたレーザ光の偏光方向に対して１８０°回転した直線偏光状態となる。この状態で光ディスク７に入射する。光ディスク７からの反射光は、再び波長板５に入射する。光ディスクからの反射光が、再び波長板５を通ることによって、光源１ｂから発振されたレーザ光と同じ偏光方向を有する直線偏光状態となる。このため、第２のレーザ光の反射光は、偏光ホログラム素子２で回折されずに透過する。一方で、無偏光性ホログラム素子３においては、偏光状態に関わらずレーザ光が回折されるため、第２のレーザ光の反射光は、無偏光性ホログラム素子３で回折されて受光部４ｂに導かれる。
【００５７】
波長板５が、第２のレーザ光に対して、λ板として作用する場合には、光源１ｂから発振された第２のレーザ光が波長板５を通る際に、発振されたレーザ光の偏光方向と同じ偏光状態になって光ディスク７に入射する。光ディスク７からの反射光が、再び波長板５を通ることによって、発振光と同じ直線偏光状態になる。このため、第２のレーザ光は、偏光ホログラム素子２では回折されず、無偏光性ホログラム素子３で回折されて受光部４ｂで受光される。
【００５８】
このように、位相差板としての波長板が、第１のレーザ光に対してλ／４板として作用して、さらに、第２のレーザ光に対してλ板またはλ／２板として作用するように形成されることによって、レーザ光の利用効率を高くすることができ、さらに小型化を行なうことができる光集積ユニットおよび光ピックアップ装置を提供することができる。
【００５９】
第１のホログラム素子としての偏光ホログラム素子２は偏光特性を有し、第２のホログラム素子としての無偏光性ホログラム素子３は、偏光特性を有さないように形成されている。この構成を採用することにより、第２のレーザ光が上記第１のホログラム素子を通る際の光量損失を小さくすることができ、第２のレーザ光の利用効率を高くすることができる。また、上記第１のホログラム素子および上記第２のホログラム素子を容易に形成することができる。
【００６０】
本実施の形態においては、波長の短い第１のレーザ光を回折させるための第１のホログラム素子として偏光ホログラム素子を用い、波長の長い第２のレーザ光を回折させるための第２のホログラム素子として無偏光性ホログラム素子を用いたが、特にこの形態に限られず、第１のホログラム素子として無偏光性ホログラム素子を用いて、第２のホログラム素子として偏光ホログラム素子を用いてもよい。
【００６１】
ここで、上記の一方のレーザ光に対してはλ／４板の作用を有し、他方のレーザ光に対してはλ／２板またはλ板の作用を有する位相差板について詳しく説明する。
【００６２】
位相差板において、直交する２方向の屈折率をそれぞれＮｐ、Ｎｓ、位相差板の厚さをｄとすると発生する位相差Δは、以下の通りになる。
【００６３】
Δ＝（Ｎｐ−Ｎｓ）×ｄ  …（１）
たとえば、第１のレーザ光の波長を６５５ｎｍとすると、位相差板がλ／４板として作用する場合の位相差Δは、以下の式により与えられる。
【００６４】
Δ＝（Ｎｐ−Ｎｓ）×ｄ＝０．６５５×（２ｋ−１）／４  …（２）
ここで、ｋは任意の正の整数である。
【００６５】
一方で、第２のレーザ光の波長を７８５ｎｍとすると、位相差板がλ／２板（またはλ板）として作用する場合の位相差Δは、以下の式により与えられる。
【００６６】
Δ＝（Ｎｐ−Ｎｓ）×ｄ＝０．７８５×ｊ／２  …（３）
ここで、ｊは任意の正の整数である。
【００６７】
これらの条件を同時に満足するためには、式（２）および式（３）より、以下の条件を満たすことが必要である。
【００６８】
０．６５５×（２ｋ−１）／４＝０．７８５×ｊ／２  …（４）
式（４）を満足するようなｋおよびｊを定めることによって、上記の特性を有する位相差板を形成することができる。
【００６９】
たとえば、第２のレーザ光において、ｊ＝３のときの位相差Δは
Δ＝０．７８５×３／２＝１．１７７５
となる。この位相差Δを、第１のレーザ光の式（２）に当てはめた場合、
Δ／０．６５５＝１．７９８≒１．７５＝（２ｋ−１）／４    （ｋ＝４）
となるため、第１のレーザ光に対しては、ほぼλ／４板として作用することになる。
【００７０】
このように、ｋおよびｊを最適化することで、一方のレーザ光に対しては、直線偏光を円偏光に変換し（λ／４板の作用）、他方のレーザ光に対しては直線偏光のまま（λ／２板またはλ板の作用）の特性を有する位相差板を形成することができる。
【００７１】
第２のホログラム素子としての無偏光性ホログラム素子３は、第１のレーザ光を回折せずに第２のレーザ光を回折するように形成されている。すなわち、無偏光性ホログラム素子３は波長選択性を有する。この構成を採用することにより、光源１ａから発振された第１のレーザ光が無偏光性ホログラム素子３を通るときの光量損失を小さくすることができ、第１のレーザ光の利用効率を高くすることができる。
【００７２】
たとえば、第１のレーザ光を用いて、光ディスク７に情報を記録する場合に、対物レンズ６から照射される第１のレーザ光の光量を大きくすることができ、光ディスク７への高速記録や高速再生が可能になる。
【００７３】
また、第２のホログラム素子が波長選択性を有することによって、第１のホログラム素子における第１のレーザ光の回折光が、第２のホログラム素子が形成されている領域を通ったとしても、第１のレーザ光は第２のホログラム素子で回折されずに透過するため、光量損失を防止することができる。したがって、光量損失を防止しながら、第１のホログラム素子と第２のホログラム素子とを近づけることができ、光集積ユニットおよび光ピックアップ装置の小型化を図ることができる。
【００７４】
無偏光性ホログラム素子３においては、透過光（０次回折光）の効率が大きく、±１次回折光の効率が小さいことが好ましい。たとえば、本実施の形態のように、無偏光性ホログラム素子３の０次回折の効率を約８０％として、±１次回折の効率をそれぞれ８％ずつになるように形成する。この構成を採用することにより、無偏光性ホログラム素子が波長選択性を有しない場合であっても、光源１ａから発振された第１のレーザ光が無偏光性ホログラム素子３を通るときの回折による光量損失を抑えることができる。
【００７５】
また、光源１ｂから発振されたレーザ光が光ディスク７に向かう際の光量損失を小さくすることができる。たとえば、光源１ｂから発振された第２のレーザ光がＣＤを録音するためのレーザ光であったときには、光ディスク（ＣＤ）に照射するレーザ光の光量を大きくすることができるため、高速記録に対応することができる。一方で、光ディスク（ＣＤ）からの反射光は、ＣＤの記録密度がＤＶＤなどに比べて粗いため、光量を非常に大きくする必要はなく、上記の回折効率で十分に良好な再生や記録を行なうことができる。
【００７６】
図２に示す第２の光集積ユニットおよび光ピックアップ装置については、２つの受光部４ａ，４ｂが発光部１の側方のうち同じ側に配置されている。この構成を採用することにより、受光部を１箇所に集めることができ、さらに光集積ユニットおよび光ピックアップ装置の小型化を図ることができる。第２の光集積ユニットおよび第２の光ピックアップ装置においては、受光部４ａの主表面と受光部４ｂの主表面とが、ほぼ同一の平面上になるように配置されているが、特にこの形態に限られず、たとえば、図２において、受光部４ａのレーザ光の光軸方向において、受光部４ｂよりも上側になるように配置されていてもよい。
【００７７】
図３に示す第３の光集積ユニットおよび第３の光ピックアップ装置においては、発振された２つのレーザ光を１つの受光部４ｃで受光できるように形成されている。この構成を採用することにより、受光部の小型化を行なうことができ、光集積ユニットおよび光ピックアップ装置の小型化をさらに図ることができる。このように、本発明に基づく光集積ユニットおよび光ピックアップ装置は、受光部を配置する自由度が大きくなる。
【００７８】
本実施の形態においては、発光部１に含まれる光源１ａと光源１ｂとは、互いに並んで配置されている。それぞれの光源１ａ，１ｂの発光点同士は、約１１０μｍ離れている。このため、第１のレーザ光の光軸Ｊと第２のレーザ光の光軸とは若干異なった位置に配置される。このような場合においても、第１のレーザ光を回折させるための第１のホログラム素子と第２のレーザ光を回折させるための第２のホログラム素子とを備えることによって、それぞれのレーザ光に合わせて個別にホログラム素子を配置することができる。このため、受光部に最適の状態でそれぞれのレーザ光を導くことができる。
【００７９】
本実施の形態においては、発光部１から発振されるレーザ光は、２種類のレーザ光であったが、特にこの形態に限られず、３種類以上のレーザ光を発振される発光部を備える光集積ユニットおよび光ピックアップ装置についても本願発明を適用することができる。この場合には、それぞれのレーザ光について個別に回折させるために、それぞれのホログラム素子を備えることが好ましい。
【００８０】
（実施の形態２）
（構成）
図４および図５を参照して、本願発明に基づく実施の形態２における光集積ユニットおよび光ピックアップ装置について説明する。
【００８１】
本実施の形態における光集積ユニットおよび光ピックアップ装置において、偏光ホログラム素子、無偏光性ホログラム素子および位相差板を備えることは、実施の形態１における光集積ユニットおよび光ピックアップ装置と同様である。発光部において、２つのレーザ光を発振するために光源が２つ形成されていることも実施の形態１における光集積ユニットおよび光ピックアップ装置と同様である。本実施の形態においては、発振光を分割するための発振光分割手段を備える。
【００８２】
図４は、本実施の形態における第１の光集積ユニットおよび光ピックアップ装置の概略断面図である。基板２６の上面には、偏光ホログラム素子１４が形成され、基板２７の上面に無偏光性ホログラム素子１５が形成されている。
【００８３】
発光部１と基板２７との間には、発光部１からの発振光を少なくとも３つに分割するための発振光分割手段として、回折格子８ａが形成されている。回折格子８ａは、光源１ａから発振される第１のレーザ光および光源１ｂから発振される第２のレーザ光をそれぞれ分割するように形成されている。回折格子８ａは、基板２８の上面に形成されている。回折格子８ａは、発光部１から発振される２つのレーザ光が回折格子８ａの形成されている領域内を通るように形成されている。
【００８４】
発光部１の側方には、受光部４ａおよび受光部４ｂが形成されている。受光部４ｂは、発光部１に対して受光部４ａが配置されている側と反対側に配置されている。偏光ホログラム素子１４および無偏光性ホログラム素子１５は、回折格子８ａで回折された発振光の回折光のうち光検出に用いられる回折光が通過するように形成されている。
【００８５】
図５に、本実施の形態における第２の光集積ユニットおよび第２の光ピックアップ装置の概略断面図を示す。基板３０に偏光ホログラム素子１６が形成され、基板３１に無偏光性ホログラム素子１７が形成されていることは、本実施の形態における第１の光集積ユニットおよび第１の光ピックアップ装置と同様である。
【００８６】
第２の光集積ユニットおよび第２の光ピックアップ装置においては、基板２９の上下の主表面に、回折格子８ｂおよび回折格子８ｃが形成されている。回折格子８ｂは、光源１ａから発振される第１のレーザ光を分割するための第１の発振光回折格子として形成されている。回折格子８ｃは、第２のレーザ光を分割するための第２の発振光回折格子として形成されている。このように、第２の光集積ユニットおよび光ピックアップ装置においては、発振光分割手段が２つの回折格子を含んでいる。回折格子８ｂは、第１のレーザ光が通る領域に形成され、回折格子８ｃは、第２のレーザ光が通る領域に形成されている。
【００８７】
また、回折格子８ｂは、第２のレーザ光を回折せずに第１のレーザ光を回折するように形成され、回折格子８ｃは、第１のレーザ光を回折せずに、第２のレーザ光を回折するように形成されている。すなわち、本実施の形態における発振光分割手段は、波長選択性を有する。
【００８８】
偏光ホログラム素子１６は、第１のレーザ光が通る領域に形成され、無偏光性ホログラム素子１７は、第２のレーザ光が通る領域に形成されている。また、第２の光集積ユニットおよび第２の光ピックアップ装置においては、発光部１の側方に受光部４ｃが配置され、この１つの受光部で発光部１から発振される２つのレーザ光を受光するように形成されている。
【００８９】
上記以外の構成については、実施の形態１における光集積ユニットおよび光ピックアップ装置と同様であるのでここでは説明を繰返さない。
【００９０】
（作用・効果）
図４に示す本実施の形態における第１の光集積ユニットおよび第１の光ピックアップ装置においては、発光部からの発振光を少なくとも３つに分割するための発振光分割手段を備えている。この構成を採用することにより、３ビームを用いたトラッキング方式の光集積ユニットおよび光ピックアップ装置に本発明を適用することができる。
【００９１】
また、第１の光集積ユニットおよび第１の光ピックアップ装置においては、発振光分割手段としての回折格子８ａが第１のレーザ光および第２のレーザ光を分割するように形成されている。すなわち、１つの回折格子８ａで、２つのレーザ光が分割されている。この構成を採用することにより、発振光分割手段の構成を容易にすることができる。
【００９２】
光源１ａから発振された第１のレーザ光および光源１ｂから発振された第２のレーザ光は、それぞれ回折格子８ａでメインビームとサブビームとに分割される。メインビームおよびサブビームは、偏光ホログラム素子１４および無偏光性ホログラム素子１５において、実施の形態１におけるレーザ光と同様の作用が付与される。光源１ａから発振された第１のレーザ光のメインビームおよびサブビームは受光部４ａで、また、光源１ｂから発振された第２のレーザ光のメインビームおよびサブビームは受光部４ｂで受光される。
【００９３】
図５における第２の光集積ユニットおよび第２の光ピックアップ装置においては、基板２９に、発振される２つのレーザ光にそれぞれ対応するように、回折格子８ｂ，８ｃが形成されている。この構成を採用することにより、それぞれの発振される複数のレーザ光に対して、最適な回折角度および回折効率で発振光を分割することができる。また、回折格子８ｂは、第２のレーザ光を回折せずに第１のレーザ光を回折するように形成され、回折格子８ｃは、第１のレーザ光を回折せずに、第２のレーザ光を回折するように形成されている。この構成を採用することによって、発振光の光量損失を小さくすることができ、レーザ光の利用効率を向上させることができる。
【００９４】
第２の光集積ユニットおよび第２の光ピックアップ装置においては、２つのレーザ光を１つの受光部４ｃで受光している。光源１ａ，１ｂから発振されるレーザ光は波長がそれぞれ異なるため、同一の発振光分割手段を通った場合には、回折角度が２つのレーザ光で異なる。このため、受光部に落斜するレーザ光の位置が大きく異なってしまい、１つの受光部で２つのレーザ光を受光することが困難になる。しかし、図５に示す第２の光集積ユニットおよび第２の光ピックアップ装置のように、それぞれのレーザ光に対してそれぞれの回折格子８ｂ，８ｃを形成することによって、発振光分割手段において、複数のレーザ光の回折角度を容易にほぼ同じにすることができる。このため、複数のレーザ光を１つの受光部で容易に受光することができる。すなわち、複数のレーザ光を用いる場合においても、受光部４ｃに落斜する複数のレーザ光の位置を容易に個別に制御することができる。
【００９５】
上記以外の作用および効果については、実施の形態１における光集積ユニットおよび光ピックアップ装置と同様であるのでここでは説明を繰り返さない。
【００９６】
（実施の形態３）
（構成）
図６から図１０を参照して、本発明に基づく実施の形態３における光集積ユニットおよび光ピックアップ装置について説明する。本実施の形態においては、実施の形態１および実施の形態２において説明を行なった光集積ユニットおよび光ピックアップ装置について、具体的な機器の形態について説明を行なう。
【００９７】
図６は、本実施の形態における第１の光集積ユニットおよび第１の光ピックアップ装置の概略断面図である。第１の光集積ユニットおよび第１の光ピックアップ装置は、実施の形態１における第３の光集積ユニットおよび第３の光ピックアップ装置（図３参照）を固定用部材に取り付けたものである。
【００９８】
第１の光集積ユニット４２においては、発光部１、受光部４ｃ、偏光ホログラム素子１２および無偏光性ホログラム素子１３がホルダ９を用いて一体化されている。ホルダ９の内部の下方には、発光部１および受光部４ｃを固定するための基台３９が形成されている。発光部１は、光源１ａ，１ｂを含み、基台３９の上面に固定されている。また、受光部４ｃについても基台３９の上面に固定されている。ホルダ９の内部において、基台３９の上方は空洞になっている。
【００９９】
ホルダ９の上面には、基板２５および基板２４が接着固定されている。基板２５および基板２４は、積層するように配置されている。ホルダ９の上面は、平面状に形成され、板状の基板２５の主表面がホルダ９の上面に接着固定されている。基板２５の上面には、無偏光性ホログラム素子１３が形成されている。基板２４の上面には、偏光ホログラム素子１２が形成されている。
【０１００】
基板２４および基板２５は、偏光ホログラム素子１２の主表面および無偏光性ホログラム素子１３の主表面が、発光部１から発振されるそれぞれのレーザ光の光軸に対してほぼ垂直になるように配置されている。波長板５は、基板２４から離間して配置されている。
【０１０１】
光ピックアップ装置４３においては、対物レンズ６が波長板５から離間して配置されている。対物レンズ６は、発光部１から発振されるそれぞれのレーザ光の光軸上に配置され、図示しない固定手段によって固定されている。
【０１０２】
上記のように、第１の光集積ユニットおよび第１の光ピックアップ装置においては、発光部１、受光部４ｃ、第１のホログラム素子としての偏光ホログラム素子１２および第２のホログラム素子としての無偏光性ホログラム素子１３が一体化されている。その他の構成については、実施の形態１における第３の光集積ユニットおよび第３の光ピックアップ装置と同様である。
【０１０３】
図７に、本実施の形態における第２の光集積ユニットおよび第２の光ピックアップ装置の概略断面図を示す。第２の光集積ユニットおよび第２の光ピックアップ装置において、ホルダ９を備え、発光部１および受光部４ｃがホルダ９の内部に固定され、ホルダ９の上面に、基板２５および基板２４が固定されていることは、本実施の形態における第１の光集積ユニットおよび第１の光ピックアップ装置と同様である。
【０１０４】
第２の光集積ユニットおよび第２の光ピックアップ装置においては、位相差板としての波長板５が、基板２４の上面に接着固定されている。波長板５は、主表面が基板２４の主表面と対向するように貼り合わされて固定されている。このように、第２の光集積ユニットおよび第２の光ピックアップ装置においては、発光部１、受光部４ｃ、偏光ホログラム素子１２、無偏光性ホログラム素子１３および位相差板としての波長板５が一体化されている。その他の構成については、本実施の形態における第１の光集積ユニットおよび光ピックアップ装置と同様である。
【０１０５】
図８に、本実施の形態における第３の光集積ユニットおよび第３の光ピックアップ装置の概略断面図を示す。第３の光集積ユニットおよび第３の光ピックアップ装置は、２つのレーザ光を１つの受光部で受光するように形成されていることを除いて、実施の形態２における第１の光集積ユニットおよび第１の光ピックアップ装置（図４参照）を固定用部材に取り付けたものと同じである。
【０１０６】
発光部１および受光部４ｃは、ホルダ９の内部に形成された基台３９に固定されている。第３の光集積ユニットおよび第３の光ピックアップ装置においては、発振光分割手段として、回折格子８ａを備える。回折格子８ａは基板２８の上面に形成されている。基板２８はホルダ９の上面に固定され、基板２８の上面には無偏光性ホログラム素子１５が形成された基板２７が固定されている。基板２７の上面には、偏光ホログラム素子１４が形成された基板２６が固定されている。基板２８、基板２７、および基板２６は、ホルダ９の上面に、積層するように接着固定されている。
【０１０７】
波長板５は、基板２６から離れて配置されている。偏光ホログラム素子１４、無偏光性ホログラム素子１５および回折格子８ａは、それぞれの主表面が発光部１から発振されるレーザ光の光軸に対してほぼ垂直になるように配置されている。
【０１０８】
このように、第３の光集積ユニットおよび第３の光ピックアップ装置においては、発光部１、受光部４ｃ、偏光ホログラム素子１４、無偏光性ホログラム素子１５および回折格子８ａが一体化されている。
【０１０９】
受光部４ｃは、偏光ホログラム素子１４からの回折光および無偏光性ホログラム素子１５からの回折光の両方の光を受光するように形成されている。また、偏光ホログラム素子１４および無偏光性ホログラム素子１５は、受光部４ｃに対して、一次回折光が到達するように形成されている。その他の構成については実施の形態２における第１の光集積ユニットおよび第１の光ピックアップ装置と同様である。
【０１１０】
図９に、本実施の形態における第４の光集積ユニットおよび第４の光ピックアップ装置の概略断面図を示す。第４の光集積ユニットおよび第４の光ピックアップ装置において、ホルダ９を備え、発光部１および受光部４ｃがホルダ９の内部に固定されていることは、本実施の形態における第３の光集積ユニットおよび第３の光ピックアップ装置と同様である。
【０１１１】
第４の光集積ユニットおよび第４の光ピックアップ装置においては、波長板５が、基板２６の上面に接着固定されている。すなわち、波長板５、基板２６、基板２７、および基板２８が積層するようにホルダ９の上面に接着固定されている。このように、第４の光集積ユニットおよび第４の光ピックアップ装置においては、発光部１、受光部４ｃ、偏光ホログラム素子１４、無偏光性ホログラム素子１５、波長板５および回折格子８ａが一体的に形成されている。その他の構成については、本実施の形態における第３の光集積ユニットおよび第３の光ピックアップ装置と同様である。
【０１１２】
図１０に、本実施の形態における第５の光集積ユニットおよび第５の光ピックアップ装置の概略断面図を示す。第５の光集積ユニットおよび第５の光ピックアップ装置においては、第４の光集積ユニットおよび第４の光ピックアップ装置の構成において、発光部２１が他の部分から分離可能なように一体的に形成されている。
【０１１３】
第５の光集積ユニット４４は、ホルダ１０およびホルダ１１を備える。ホルダ１１は、内部が空洞になるように箱型に形成されている。ホルダ１０の上面には、受光部４ｃが固定されている。ホルダ１１は、ホルダ１０の上面に配置されている。受光部４ｃは、ホルダ１１の内部に配置されている。発光部２１は、ホルダ１０のほぼ中央部に固定されている。発光部２１は、単独でパッケージングされており、内部に光源１ａ，１ｂを含む。発光部２１は、ホルダ１０から取外し可能に形成されている。ホルダ１１の上面には、基板２８、基板２７、基板２６および波長板５が積層するように接着固定されている。
【０１１４】
第５の光ピックアップ装置４５は、第５の光集積ユニット４４と対物レンズ６とを備える。その他の構成については、本実施の形態における第４の光集積ユニットおよび第４の光ピックアップ装置と同様である。
【０１１５】
本実施の形態における光集積ユニットおよび光ピックアップ装置において、上記以外の構成については、実施の形態１または実施の形態２における光集積ユニットおよび光ピックアップ装置と同様であるので、ここでは説明を繰り返さない。
【０１１６】
（作用・効果）
本実施の形態における光集積ユニットは、複数の部品がモジュール化され、光集積ユニットの製造において、複数の部品同士の位置調整を行なうことができる。
【０１１７】
図６に示す本実施の形態における第１の光集積ユニットおよび第１の光ピックアップ装置においては、発光部１、受光部４ｃ、偏光ホログラム素子１２、および無偏光性ホログラム素子１３が一体化されている。すなわち、これらの複数の部品がモジュール化されている。
【０１１８】
図６に示す光集積ユニットにおけるモジュール内での位置調整としては、初めにホルダ９の内部において、光源１ａ，１ｂの位置決めを行なって、光源１ａ，１ｂを接着固定する。また、ホルダ９の内部に受光部４ｃの位置決めを行なって、受光部４ｃを接着固定する。次に、発光部１から発振されるレーザ光の光軸に合わせて無偏光性ホログラム素子１３が形成された基板２５の位置を調整後、ホルダ９に基板２５を接着固定する。この後に、偏光ホログラム素子１２が形成された基板２４の位置の調整を行なって、基板２４を基板２５の上面に接着固定する。
【０１１９】
発光部１、受光部４ｃ、偏光ホログラム素子１２、および無偏光性ホログラム素子１３が一体化されることによって、一体化されたモジュールごとに、発光部１、受光部４ｃ、偏光ホログラム素子１２および無偏光性ホログラム素子１３の位置の調整を行なうことができ、光集積ユニット４２を光ピックアップ装置４３に搭載する際には、光集積ユニットに含まれる上記の部品同士の位置調整が不要になる。
【０１２０】
図７に示す本実施の形態における第２の光集積ユニットおよび第２の光ピックアップ装置においては、発光部１、受光部４ｃ、偏光ホログラム素子１２、無偏光性ホログラム素子１３および波長板５が一体化されている。
【０１２１】
第２の光集積ユニットにおいては、ホルダ９の内部に発光部１および受光部４ｃを接着固定した後に、基板２５および基板２４をホルダ９の上面に積層するように接着固定する。この後に、基板２４の上面に、波長板５を積層するように接着固定する。このように、第２の光集積ユニットにおいても、予め、一体化されたモジュールにおける各部品の位置調整を行なうことができ、光集積ユニットを光ピックアップ装置に搭載する際、モジュール内の各部品の位置調整が不要になる。
【０１２２】
さらに、第２の光集積ユニットにおいては、波長板５が、基板２４の上面に接着固定されているため、波長板５と発光部１との距離が近くなる。このため、発光部１から発振されたレーザ光が波長板５を透過する際の面積が小さくなって、波長板５の製作誤差などに起因する透過波面の収差を小さくできる。このため、光ディスク７に照射するレーザ光を収差の小さい良好なものにすることができる。
【０１２３】
図８に示す第３の光集積ユニットおよび第３の光ピックアップ装置においては、発光部１、受光部４ｃ、偏光ホログラム素子１４、無偏光性ホログラム素子１５および回折格子８ａが一体化されている。
【０１２４】
第３の光集積ユニットにおいては、ホルダ９の内部において、発光部１および受光部４ｃの位置決めを行なって、発光部１および受光部４ｃをホルダ９に接着固定する。一方で、回折格子８ａが形成された基板２８と無偏光性ホログラム素子１５が形成された基板２７とを接着固定しておいて一体化しておく。この部材を、ホルダ９の上面に位置調整を行ないながら接着固定する。この後に、基板２７の上面に偏光ホログラム素子１４が形成された基板２６の位置調整を行ないながら基板２６を接着固定する。このように、第３の光集積ユニットにおいても、予め、偏光ホログラム素子１４、無偏光性ホログラム素子１５および回折格子８ａなどの位置調整を行なうことができ、光集積ユニットを光ピックアップ装置に搭載する際の位置調整が不要になる。
【０１２５】
第３の光集積ユニットにおいては、無偏光性ホログラム素子１５と回折格子８ａとが、互いに異なる基板に形成されているが、特に、分離して形成されている必要はなく、たとえば、基板２７の主表面のうち、無偏光性ホログラム素子１５が形成されている側と反対側の主表面に、予め回折格子８ａが形成されていてもよい。
【０１２６】
図９に示す第４の光集積ユニットおよび第４の光ピックアップ装置においては、発光部１、受光部４ｃ、偏光ホログラム素子１４、無偏光性ホログラム素子１５および回折格子８ａに加え、波長板５が一体化されている。第４の光集積ユニットにおいては、発光部１および受光部４ｃを配置したホルダ９の上面に、基板２６，２７，２８を積層するように固定したのちに、波長板５を接着固定する。
【０１２７】
第４の光集積ユニットにおいても、上記の部品を一体化してモジュール化することができ、光集積ユニットを光ピックアップ装置に搭載する際の位置調整が不要になる。また、本実施の形態における第２の光集積ユニットと同様に、波長板５を発光部１の近くに配置することができるため、波長板５の精度などに起因する透明波面の収差を小さくすることができる。その他の作用および効果については、第３の光集積ユニットと同様である。
【０１２８】
図１０に示す第５の光集積ユニットおよび第５の光ピックアップ装置においては、発光部２１が他の部品から分離可能なように一体的に形成されている。
【０１２９】
第５の光集積ユニットにおいては、初めにホルダ１０に発光部２１と受光部４ｃとを位置調整を行ないながら接着固定する。次に、ホルダ１１を介して、回折格子８ａ、無偏光性ホログラム素子１５、偏光ホログラム素子１４、および波長板５の位置調整を行いながら、基板２６〜２８と波長板５とを積層するようにホルダ１１の上面に接着固定する。
【０１３０】
発光部２１が他の部分から分離可能なように一体的に形成されていることによって、発光部２１のみを容易に異なるものに替えることができる。発光部２１の筐体は、各製造メーカにおいて共通の形状および共通の大きさを有するものが多いため、光集積ユニットの製造において、適宜、発光部２１を異なる製造メーカのものに変更することができる。すなわち、製造における自由度を大きくすることができる。また、発光部２１が故障したときの取り換えが容易になる。
【０１３１】
上記以外の作用および効果については、実施の形態１および実施の形態２と同様であるので、ここでは説明を繰り返さない。
【０１３２】
本実施の形態においては、実施の形態１および実施の形態２における光集積ユニットのモジュール化を行なった例として、受光部が１つのものを取り挙げて説明を行なったが、特にこの形態に限られず、受光部が複数形成されていてもよい。
【０１３３】
上記の全ての実施の形態において、偏光ホログラム素子および無偏光性ホログラム素子などのレーザ光を回折させるホログラムについては、複数の領域で異なる格子を有するように分割されていても構わない。
【０１３４】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【０１３５】
【図１】実施の形態１における第１の光集積ユニットおよび第１の光ピックアップ装置の概略断面図である。
【図２】実施の形態１における第２の光集積ユニットおよび第２の光ピックアップ装置の概略断面図である。
【図３】実施の形態１における第３の光集積ユニットおよび第３の光ピックアップ装置の概略断面図である。
【図４】実施の形態２における第１の光集積ユニットおよび第１の光ピックアップ装置の概略断面図である。
【図５】実施の形態２における第２の光集積ユニットおよび第２の光ピックアップ装置の概略断面図である。
【図６】実施の形態３における第１の光集積ユニットおよび第１の光ピックアップ装置の概略断面図である。
【図７】実施の形態３における第２の光集積ユニットおよび第２の光ピックアップ装置の概略断面図である。
【図８】実施の形態３における第３の光集積ユニットおよび第３の光ピックアップ装置の概略断面図である。
【図９】実施の形態３における第４の光集積ユニットおよび第４の光ピックアップ装置の概略断面図である。
【図１０】実施の形態３における第５の光集積ユニットおよび第５の光ピックアップ装置の概略断面図である。
【図１１】従来の技術に基づく一の光集積ユニットおよび一の光ピックアップ装置の断面図である。
【図１２】従来の技術に基づく他の光集積ユニットおよび他の光ピックアップ装置の概略断面図である。
【符号の説明】
【０１３６】
１，２１  発光部、１ａ，１ｂ  光源、２，１２，１４，１６  偏光ホログラム素子、３，１３，１５，１７  無偏光性ホログラム素子、４ａ，４ｂ，４ｃ  受光部、５  波長板、６  対物レンズ、７  光ディスク、８ａ，８ｂ，８ｃ  回折格子、９，１０，１１  ホルダ、２２〜３１  基板、３５ａ，３５ｂ  回折光、３９  基台、４０，４２，４４  光集積ユニット、４１，４３，４５  光ピックアップ装置、１０１，１０２  半導体レーザ、１０３  ３ビーム用回折格子、１０６  対物レンズ、１０７  ディスク、１１１  第２のホログラム素子、１１２  第１のホログラム素子、１１３  コリメータレンズ、１１４  受光素子、１１５  レーザパッケージ、１１６，１１７  透明基板、１２１，１２３  半導体レーザチップ、１２４  第１ホログラム（偏光ホログラム）、１２５  第２ホログラム（無偏光ホログラム）、１２６  コリメータレンズ、１２７  対物レンズ、１２８  光記録媒体、１２９  受光素子、１３０  波長板、Ｊ  光軸。
【図１】
2005203041.tif 000003
【図２】
2005203041.tif 000004
【図３】
2005203041.tif 000005
【図４】
2005203041.tif 000006
【図５】
2005203041.tif 000007
【図６】
2005203041.tif 000008
【図７】
2005203041.tif 000009
【図８】
2005203041.tif 000010
【図９】
2005203041.tif 000011
【図１０】
2005203041.tif 000012
【図１１】
2005203041.tif 000013
【図１２】
2005203041.tif 000014